(57)【特許請求の範囲】
【請求項１】
支持部と、
この支持部に前方に向けて水平方向に摺動可能に支持され成分採血用装置を設置可能な水平方向に平面を有する板状の可動台と、
前記可動台の上方に位置して設けられ成分採血用装置が挿入可能な開口部と、前記可動台の上方に位置して上下方向に向けて回動可能に配設され回動により前記開口部を開口状態とする第１の回動板および第２の回動板とを有し、これら回動板の回動により前記成分採血用装置が挿入可能な開口状態と全血採血用装置を挿入係止可能な開口状態に可変する水平方向に平面を有した板状で献血者の採血される側の腕が載置される天板部とを具備し、
前記第２の回動板の回動により一部が開口状態の前記開口部の縁部および前記第１の回動板の縁部にて前記全血採血用装置が挿入係止可能となる係合縁を形成する
ことを特徴とした採血装置設置台。
【請求項２】
第１の回動板および第２の回動板は、開口部を閉塞した状態で天板部に連続する
ことを特徴とした請求項１記載の採血装置設置台。
【請求項３】
支持部は、献血者が採血の際に位置する採血領域および採血者が採血する際に位置する作業領域を区画する板状の区画壁と、この区画壁に平面方向が前記区画壁の平面方向に対して略直交する方向に設けられた板状の支柱部とを備え、
可動台は、支柱部に取り付けられたガイドレールにより摺動可能に設けられた
ことを特徴とした請求項１または２記載の採血装置設置台。
【請求項４】
採血用の空間を内部に区画する車体と、
この車体の空間内に配設された請求項１ないし３のいずれか一に記載の採血装置設置台と
を具備したことを特徴とした移動採血車。
【発明の詳細な説明】
【０００１】
【発明の属する技術分野】
本発明は、全血採血用装置および成分採血用装置を設置する採血装置設置台およびこの採血装置設置台を備えた移動採血車に関する。
【０００２】
【従来の技術】
一般に、採血方法としては、例えば２００ｍｌや４００ｍｌなどの所定量を採血する全血採血方法、採血した後に有用成分のみを分集して残りを献血者に還元する成分採血方法、特別な装置を用いることなく献血者の血圧により採血する自然採血方法などがある。
【０００３】
そして、例えば移動採血車では、上記採血方法に対応した装置や器具を限られた車体内に設置しなければならない。このため、従来の移動採血車では、車体内に全血載置用装置および成分採血用装置などの各種機器やこれら機器を設置する設置台、採血した血液を貯蔵する貯蔵庫、献血者が座る椅子などが設置されることから、車内は狭くなる。また、設置台に各種機器を固定して設置すると、採血に利用されない機器が生じ、効率よく採血できなくなるおそれがある。そこで、献血者の採血方法に対応して所定の機器を適宜設置台に設置する必要がある。
【０００４】
【発明が解決しようとする課題】
ところで、設置する各種機器はそれぞれ異なる形状であり、安定して設置できない機器の場合には別途設置ケースなどにて設置台に設置する必要があることから、各機器毎に安定して使いやすい状態に設置する必要があるが、積載空間が比較的狭く限られた車内領域しか確保できない移動採血車では設置する機器に対応した異なる保持方法の構成を設置台に設けなければならず、設置台が大型化し、採血するための領域がさらに減少してしまう問題がある。
【０００５】
本発明は、上記問題点に鑑みて、簡単な構成で容易に安定して異なる採血方法に対応した機器を設置できる小型の採血装置設置台およびこの設置台を備えた移動採血車を提供することを目的とする。
【０００６】
【課題を解決するための手段】
請求項１記載の採血装置設置台は、支持部と、この支持部に前方に向けて水平方向に摺動可能に支持され成分採血用装置を設置可能な水平方向に平面を有する板状の可動台と、前記可動台の上方に位置して設けられ成分採血用装置が挿入可能な開口部と、前記可動台の上方に位置して上下方向に向けて回動可能に配設され回動により前記開口部を開口状態とする第１の回動板および第２の回動板とを有し、これら回動板の回動により前記成分採血用装置が挿入可能な開口状態と全血採血用装置を挿入係止可能な開口状態に可変する水平方向に平面を有した板状で献血者の採血される側の腕が載置される天板部とを具備し、前記第２の回動板の回動により一部が開口状態の前記開口部の縁部および前記第１の回動板の縁部にて前記全血採血用装置が挿入係止可能となる係合縁を形成するものである。
【０００７】
そして、成分採血する際には、第１の回動板および第２の回動板を適宜回動して、可動台に設置される成分採血用装置が干渉しないように可動台の上方に位置する天板部の開口部を開口状態とし、成分採血用装置を設置した可動台を前方に向けて使用位置まで水平方向に摺動し、成分採血用装置にて成分採血する。全血採血する際には、第２の回動板を適宜回動して開口部の一部を開口状態とし、開口部の縁部および第１の回動板の縁部にて全血採血用装置が挿入係止可能となる係合縁を形成し、挿入係止した全血採血用装置にて全血採血する。このことにより、異なる採血方法に対応した異なる成分採血用装置および全血採血用装置を限られた範囲内で適宜安定して設置可能で、異なる成分採血用装置および全血採血用装置をそれぞれ設置するための領域が不要となり、簡単な構造で汎用性が向上するとともに小型化が容易に図れ、限られた範囲内に成分採血用装置および全血採血用装置が設置可能となる。
【０００８】
請求項２記載の採血装置設置台は、請求項１記載の採血装置設置台において、第１の回動板および第２の回動板は、開口部を閉塞した状態で天板部に連続するものである。
【０００９】
そして、第１の回動板および第２の回動板を開口部の閉塞状態で天板部に連続させることにより、成分採血用装置および全血採血用装置を設置しない状態では一連の広い領域が形成され、採血作業以外にも利用可能となり、作業性および汎用性が向上する。
【００１０】
請求項３記載の採血装置設置台は、請求項１または２記載の採血装置設置台において、支持部は、献血者が採血の際に位置する採血領域および採血者が採血する際に位置する作業領域を区画する板状の区画壁と、この区画壁に平面方向が前記区画壁の平面方向に対して略直交する方向に設けられた板状の支柱部とを備え、可動台は、支柱部に取り付けられたガイドレールにより摺動可能に設けられたものである。
【００１１】
そして、献血者が採血の際に位置する採血領域および採血者が採血する際に位置する作業領域を区画する板状の区画壁に平面方向が区画壁の平面方向に対して略直交する方向に板状の支柱部を設けて支持部を構成し、この支持部の支柱部に可動台を摺動可能に支持するガイドレールを取り付けることにより、別途摺動可能に支持するガイドレールを固定するための構成が不要で、構造が簡略化し、製造性が向上するとともに小型化が容易に図れる。
【００１２】
請求項４記載の移動採血車は、採血用の空間を内部に区画する車体と、この車体の空間内に配設された請求項１ないし３のいずれか一に記載の採血装置設置台とを具備したものである。
【００１３】
そして、簡単な構造で汎用性が向上するとともに容易に小型化できる請求項１ないし３のいずれか一に記載の採血装置設置台を車体の内部に区画する採血用の空間内に配設することにより、比較的広い採血用の空間が確保できない車体内でも各種採血方法に対応可能となり、車体内が有効利用されて採血効率が向上する。
【００１４】
【発明の実施の形態】
以下、本発明の実施の一形態における移動採血車の構成について図面を参照して説明する。
【００１５】
図１ないし図４において、１は採血装置設置台で、この採血装置設置台１は、図示しない車体内に配設され、献血者が採血の際に利用する椅子などが配置される採血領域２と、看護婦などの採血する採血者が採血などの作業をする作業領域３とを区画する板状の区画壁４を有している。そして、この区画壁４には、上下方向の両端縁近傍に一連に上方に向けて突出する目隠板５が適宜設けられている。
【００１６】
また、採血装置設置台１には、区画壁４の上下方向の両縁に作業領域３側に位置して平面方向が略直交する状態で板状の支柱部６が一体的に設けられて支持部７が構成されている。
【００１７】
さらに、採血装置設置台１には、区画壁４の上下方向の略中間部分に平面が略水平となる板状の棚板８が一体的に設けられている。そして、この棚板８の下方には、例えば採血針や脱脂綿、消毒用アルコールなどを収容する収容箱９が設けられている。この収容箱９は、略箱状に形成されて作業領域３側に開口する収容開口9aを開閉可能に閉塞する蓋部10を有している。
【００１８】
また、採血装置設置台１には、上面が棚板８と連続する平面が略水平な板状で成分採血用装置12が設置可能な可動台13が設けられている。この可動台13は、一対のガイドレール14により作業領域３側に摺動移動可能、すなわち前方に向けて摺動移動可能に配設されている。これらガイドレール14は、一方が支柱部６に取り付けられ固定され、他方が収容箱９の外面に取り付けられて固定され、それぞれの上面が可動台13の下面の両側縁近傍にそれぞれ取り付けられて可動台13を図示しない転動輪を介して摺動可能に支持する。
【００１９】
なお、成分採血用装置12は、採血した後に有用成分のみを分集して残りを献血者に還元する成分採血をするもので、装置本体16と、この装置本体16の上方を開閉可能に覆うカバー部17とを備えている。
【００２０】
さらに、採血装置設置台１には、区画壁４の上端縁および支柱部６の上端縁に略連続するように、平面が略水平方向となる板状の天板部20が一体的に設けられている。そして、この天板部20には、可動台13の上方に位置して可動台13に対応すなわち成分採血用装置12が挿入可能な開口部21が作業領域３側に向けてコ字状に切欠形成されている。
【００２１】
そして、天板部20には、開口部21の一部を閉塞し上面が天板部20の上面と連続する板状の第１の回動板23が回動可能に設けられている。この第１の回動板23は、上面が天板部20の上面と連続する水平状態と上面が上下方向に略沿う回動状態とに、作業領域３側の後縁側を上下方向に回動可能に蝶番などにて取り付けられている。さらに、第１の回動板23には、回動方向の一縁に一端が連結され他端がこの第１の回動板23の回動支点より下方の位置で区画壁４に取り付けられ、第１の回動板23の水平状態を保持するアーム部25が設けられている。このアーム部25は、細長板状の一対の腕部26，26の長手方向の端部が互いに回動可能に連結され、第１の回動板23が水平状態となる場合には図１および図４に示すように腕部26，26の長手方向が略直線状となり、回動状態となる場合には図２および図３に示すように腕部26，26の連結する位置で互いに重なり合うように略く字状に折れ曲がり第１の回動板23の一縁に略沿う状態となるように形成されている。
【００２２】
なお、この第１の回動板23は、開口部21の一部を閉塞する水平状態で閉塞されない開口部21の部分に全血採血用装置30が挿入可能となる寸法で開口部21の一部を開口する形状に形成されている。この全血採血用装置30は、例えば２００ｍｌや４００ｍｌなどの所定量を採血する全血採血をするもので、採血本体31と、この採血本体31を保持する上面および前面を開口する保持枠32とを備えている。そして、保持枠32の上面開口縁には、外方に向けて壁状に屈曲形成され下面に第１の回動板23の縁部および天板部20の開口部21の縁部とにて略コ字状に形成される係合縁に係合するフランジ部33が設けられている。
【００２３】
さらに、天板部20には、第１の回動板23にて閉塞されない全血採血用装置30が挿入される開口部21を閉塞し上面が天板部20の上面と連続する板状の第２の回動板35が上下方向に向けて回動可能に設けられている。この第２の回動板35は、第１の回動板23と同様に、上面が天板部20の上面と連続する水平状態と上面が上下方向に略沿って全血採血用装置30が挿入可能な回動状態とに、作業領域３側の後縁側を上下方向に回動可能に蝶番などにて取り付けられている。さらに、この第２の回動板35には、第１の回動板23と同様に、図示しないアーム部が設けられている。
【００２４】
次に、上記実施の形態の動作を図面を参照して説明する。
【００２５】
まず、採血装置設置台１の第１の回動板23および第２の回動板35を回動状態、すなわち平面方向が上下方向に沿う状態に下方に向けてそれぞれ回動し、天板部20の開口部21を開口させる。この状態で可動台13上に成分採血用装置12を載置し、図示しない固定用バンドなどにて位置決めする。また、全血採血用装置30を別途位置決め固定しておく。この状態で移動採血車を運行させて採血する安全が確保された場所まで移動して駐車する。この後、固定用バンドなどを取り外して各種機器を動作可能状態とする。
【００２６】
そして、成分採血する場合には、図３に示すように、成分採血用装置12が設置された可動台13を手前に引っ張るように引き出し、カバー部17を回動させて電源スイッチを投入するなどして作動させ、採血領域２の椅子に腰掛け天板部20上に載置された採血される側の献血者の片腕から採血者が成分採血する。
【００２７】
また、特別な装置を用いることなく献血者の血圧により採血する自然採血をする場合には、可動台13を引き出して成分採血用装置12を作動させることなく、採血する。
【００２８】
一方、全血採血する場合には、図４に示すように、成分採血用装置12を可動台13から取り外し、可動台13を区画壁４側に摺動させる。そして、図示しないアーム部を折り曲げ、すなわち互いに突っ張り合って長手方向が直線状となる腕部26，26の連結する部分で折り曲げるように相対的に回動させて第２の回動板35を下方に向けて回動させ、天板部20の開口部21の一部を開口させる。この後、全血採血用装置30の保持枠32を一部開口する開口部21に挿入してフランジ部33を第１の回動板23および天板部20の開口部21側の縁に係止して取り付ける。そして、保持枠32に採血本体31を保持させ、電源スイッチを投入するなどして動作させ、採血領域２の椅子に腰掛け天板部20上に載置された採血される側の献血者の片腕から採血者が所定量を全血採血する。
【００２９】
このように、上記実施の形態では、成分採血用装置12を設置する摺動可能な可動台13の上方に位置して、採血の際に献血者の腕が載置されたり、採血した血液を整理したり、採血者が行う事務処理などの採血のための作業をするための天板部20に成分採血用装置12が干渉しないように開口する開口部21を切欠形成し、この開口部21に回動により適宜閉塞状態が可変して完全に閉塞する状態、成分採血用装置12が干渉しない全開状態および全血採血用装置30を設置可能な状態に開閉する第１の回動板23および第２の回動板35を設けるため、異なる採血方法に対応して第１の回動板23および第２の回動板35を適宜回動させるのみで採血方法に対応した成分採血用装置12および全血採血用装置30を限られた範囲内に安定して設置して採血でき、簡単な構造で汎用性を向上できるとともに、異なる成分採血用装置12および全血採血用装置30をそれぞれ設置するための構成を設ける必要がなく容易に小型化でき、狭い車内でも空間を有効利用して効率よく採血できる。
【００３０】
そして、天板部20に可動台13の上方に位置して成分採血用装置12が挿入可能な開口部21を設け、この開口部21を回動により開閉する第１の回動板23および第２の回動板35を設け、第２の回動板35の回動により一部が開口する開口部21の縁部と第１の回動板23の縁部とにて形成されるコ字状の係合縁に全血採血用装置30を挿入係止して設置可能とするため、簡単な構造で限られた範囲内に成分採血用装置12および全血採血用装置30を設置できる。
【００３１】
さらに、第１の回動板23および第２の回動板35を開口部21の閉塞状態で天板部20に一連に連続させるため、成分採血用装置12および全血採血用装置30を設置しない状態では一連の広い領域が形成され、採血作業以外にも利用可能となり、作業性および汎用性を向上できる。
【００３２】
そして、これら第１の回動板23および第２の回動板35の後縁を可動台13の摺動方向に対向する開口部21の内縁近傍に回動可能に軸支して設けるため、簡単な構成で異なる成分採血用装置12および全血採血用装置30を設置可能な形態に可変できる構成を容易に得ることができ、製造性を向上できるとともに小型化も容易に図れる。
【００３３】
また、採血領域２および作業領域３を区画する区画壁４の平面方向に対して略直交する方向に区画壁４に一体的に設けた支柱部６に可動台13を摺動可能に支持するガイドレール14を取り付けるため、別途摺動可能に支持するガイドレール14を固定するための補強部材などの構成が不要で、構造を簡略化でき、製造性を向上できるとともに容易に小型化できる。
【００３４】
さらに、区画壁４に上方に向けて舌片状の目隠板５を設けたため、採血状況を献血者に視認されないようにすることが可能となり、献血者が採血状況を視認することにより気分を害することを防止できるとともに、採血者の覚え書きなどを取り付けておくためのスタンドや各種機器を作動させるための電源スイッチや制御回路、照明などを設けることも可能となり、採血装置設置台１の利便性を向上できる。
【００３５】
なお、上記実施の形態において、第１の回動板23および第２の回動板35を天板部20に蝶番などにて回動可能に設けたが、いずれの構成で回動可能とすることができる。なお、小型で構造が簡単な蝶番を用いることにより、安価で製造が容易で小型化が容易に図れる。
【００３６】
そして、天板部20に取り付ける構成に限らず、例えば区画壁４に回動可能に取り付けてもよい。
【００３７】
また、開口部21の閉塞状態を維持する構成として腕部26，26を連結したアーム部25を用いて説明したが、いずれの構成でもできる。
【００３８】
そして、手動により回動させたが、エアシリンダや油圧シリンダなどにて自動的に回動させてもよい。
【００３９】
また、支柱部６に隣接する位置に可動台13および開口部21を設けたが、天板部20の支柱部６から離間する中間部分に設けてもよい。
【００４０】
さらに、１つの採血装置設置台１に複数の可動台13および第１の回動板23と第２の回動板35とにて適宜閉塞される開口部21を複数設けて成分採血用装置12や全血採血用装置30を複数設けることが可能な構成としたり、別途成分採血用装置12や全血採血用装置30を設置する箇所を設けてもよい。
【００４１】
また、可動台13を摺動可能に支持する構成としては、ガイドレール14に限らず、いずれの構成でもできる。
【００４２】
そして、採血装置設置台１は、支柱部６が板状のものに限らず、軸組みした構成などでもできる。
【００４３】
さらに、棚板８や区画壁４を設けなくてもよい。
【００４４】
また、第１の回動板23および第２の回動板35の２つにて開口部21を開閉する構成としたが、３つ以上の複数の回動板にて閉塞する構成としてもよい。
【００４５】
さらに、開口部21を閉塞する状態で第１の回動板23および第２の回動板35が天板部20に連続させたが、天板部20と一連に連続しない状態に設けてもよい。
【００４６】
【発明の効果】
請求項１記載の採血装置設置台によれば、成分採血用装置を設置する摺動可能な可動台の上方に位置して、成分採血用装置が挿入可能な開口部と、回動によりこの開口部を開口状態とする第１の回動板および第２の回動板とを天板部に備え、第２の回動板の回動により一部が開口状態の開口部の縁部および第１の回動板の縁部にて全血採血用装置が挿入係止可能となる係合縁を形成するため、異なる採血方法に対応して各回動板を適宜回動させるのみで採血方法に対応した成分採血用装置および全血採血用装置を限られた範囲内で安定して設置して採血でき、簡単な構造で汎用性を向上できるとともに、限られた範囲内に成分採血用装置および全血採血用装置を設置できる構成を簡略化でき、製造性を向上でき、かつ、異なる成分採血用装置および全血採血用装置をそれぞれ設置する領域が不要で容易に小型化できる。
【００４７】
請求項２記載の採血装置設置台によれば、請求項１記載の採血装置設置台の効果に加え、第１の回動板および第２の回動板を開口部の閉塞状態で天板部に連続させるため、成分採血用装置および全血採血用装置を設置しない状態では一連の広い領域が形成され、採血作業以外にも利用可能となり、作業性および汎用性を向上できる。
【００４８】
請求項３記載の採血装置設置台によれば、請求項１または２記載の採血装置設置台の効果に加え、採血領域および作業領域を区画する区画壁の平面方向に対して略直交する方向に設けた支柱部に可動台を摺動可能に支持するガイドレールを取り付けるため、別途摺動可能に支持するガイドレールを固定するための構成が不要で、構造を簡略化でき、製造性を向上できるとともに容易に小型化できる。
【００４９】
請求項４記載の移動採血車によれば、簡単な構造で汎用性を向上でき容易に小型化できる請求項１ないし３のいずれか一に記載の採血装置設置台を車体の採血用の空間内に配設するため、比較的広い採血用の空間を確保できない車体内でも各種採血方法に対応でき、車体内を有効利用でき、採血効率を向上できる。
【図面の簡単な説明】
【図１】  本発明の実施の一形態における採血装置設置台を示す一部を切り欠いた斜視図である。
【図２】  同上成分採血用装置を設置した状態の採血装置設置台を示す一部を切り欠いた斜視図である。
【図３】  同上成分採血する状態の採血装置設置台を示す一部を切り欠いた斜視図である。
【図４】  同上全血採血用装置を設置した状態の採血装置設置台を示す一部を切り欠いた斜視図である。
【符号の説明】
１    採血装置設置台
２    採血領域
３    作業領域
４    区画壁
６    支柱部
７    支持部
12    成分採血用装置
13    可動台
14    ガイドレール
20    天板部
21    開口部
23    第１の回動板
30    全血採血用装置
35    第２の回動板
【図１】
0003871507.tif 000002
【図２】
0003871507.tif 000003
【図３】
0003871507.tif 000004
【図４】
0003871507.tif 000005